(57)【要約】      （修正有）【課題】着用と同時に日除け効果の良好な位置にツバおよび日除け布を位置させることができ、着用時の作業が簡略化された日除け帽子を提供する。【解決手段】日除け帽子１は、半クラウン１１および半クラウン１１を取り巻くツバ１２を有する帽子本体１０と、帽子本体１０に連なって取り付けられた日除け布２０と、日除け布２０の内面の取付部２１に取り付けられたベルト３０と、日除け布２０のツバ１２両端の縁１３近傍に設けられた、ベルト３０を通過可能な孔２２とを備えているから、ベルト３０を顎に結んで着用すると同時に日除け効果の良好な位置にツバ１２および日除け布２０を保持することができる。【選択図】図１
0003219279.tif 000002
【実用新案登録請求の範囲】
【請求項１】
半クラウンおよび前記半クラウンを取り巻くツバを有する帽子本体と、前記帽子本体に連なって取り付けられた日除け布と、前記日除け布の内面の取付部に取り付けられたベルトとを備えており、
前記ベルトが通過可能な孔が、前記ツバまたは前記日除け布に設けられていることを特徴とする日除け帽子。
【請求項２】
前記ベルトは、前記日除け布に余裕部が生じるように取り付けられている請求項１に記載の日除け帽子。
【請求項３】
前記取付部のそれぞれにタックが設けられており、前記タックの近傍にダーツが形成されている請求項２に記載の日除け帽子。
【請求項４】
前記取付部の間に弾性体が取り付けられることにより、前記伸縮性を有するギャザー部が形成されている請求項３に記載の日除け帽子。
【請求項５】
前記帽子本体のツバの内面に複数のガイド部が形成されており、
前記ガイド部は、前記取付部と前記孔との間において、前記ベルトを所定の位置に保持する請求項１〜４のいずれか一項に記載の日除け帽子。
【請求項６】
前記ガイド部は、マスクを着脱可能である請求項５に記載の日除け帽子。
【請求項７】
前記日除け布は、前記半クラウンに連続する半クラウン部を備えており、前記日除け布の前記半クラウン部と前記帽子本体の前記半クラウンとにより着用者の頭部全周を覆うクラウン部が形成されている請求項２〜６のいずれか一項に記載の日除け帽子。
【請求項８】
前記孔は、前記ツバの両端の近傍に各複数設けられている請求項１〜７のいずれか一項に記載の日除け帽子。
【請求項９】
前記ベルトは、第１の紐状部材と第２の紐状部材とを有し、
前記第１の紐状部材の一端は前記取付部に取り付けられ、他端は前記ツバ又は前記日除け布に取り付けられることでループを形成し、
前記第２の紐状部材の一端は前記第１の紐状部材に取り付けられ、前記第２の紐状部材は前記孔に通されている、請求項１〜８のいずれか一項に記載の日除け帽子。
【請求項１０】
前記第２の紐状部材の一端は、前記第１の紐状部材に沿って移動可能に取り付けられている、請求項９に記載の日除け帽子。
【考案の詳細な説明】
【技術分野】
【０００１】
本考案は、帽子本体に日除け布が取り付けられた日除け帽子、特に、前側半分がクラウンの周りにツバを有する帽子本体で構成され、後ろ側半分が日除け布で構成された日除け帽子に関する。
【背景技術】
【０００２】
日除け用の帽子は、野外での農作業や園芸作業の際に顔や首が日焼けすることを防ぐために用いられる。このような日焼け防止用の帽子として、帽子本体に日除け布が取り付けられた帽子が用いられており、例えば、半円の麦わら帽子に日除け布が取り付けられたいわゆる半麦がある。半麦には、着用の際に半円の麦わら帽子を頭部に固定するために、帽子本体の後ろ側に平ゴムが設けられた構成を備えたものがある。
【０００３】
しかし、半麦はクラウン部が頭全体ではなく頭の前側半分を覆っているに過ぎない。このため、クラウン部を頭に抑えつける手段として平ゴムを用いる従来の構成は、安定的に帽子を着用するために十分ではない。特に、半麦は大きなツバを備えているから、着用した状態で頭を上下するたびに、帽子がずれてしまうという問題があった。この問題を解決するために、日除け布に細長い紐を取り付け、この紐を首に結びつけて固定する半円麦わら帽子（半麦）が提案されている（特許文献１）。
【０００４】
特許文献１に記載された半麦は、従来の平ゴムに代えて、日除け布に細長い紐が縫い付けられた構成を備えている。日除け布に縫いつけられた紐を顎にかけて結ぶことにより、日除け布を介して帽子本体を着用者の頭に安定に固定することができる。
【先行技術文献】
【特許文献】
【０００５】
【特許文献１】特開２００６−２００１０２号公報
【考案の概要】
【考案が解決しようとする課題】
【０００６】
しかし、特許文献１の半麦は、平ゴムで固定する構成を備えた従来の半麦同様、日除け効果を十分にするために、日除け布の両端を首に結んで帽子本体のツバおよび日除け布で着用者の顔の周りを覆う必要がある。すなわち、日除け布に取り付けられた紐を用いることにより安定に着用することができるが、日除け効果を十分にするために日除け布の両端を首に結ぶ作業が必要であることから、特許文献１の半麦には着用時の作業が煩雑であるという問題がある。
【０００７】
また、特許文献１の半麦のように、帽子を固定するための紐を日除け布の襟足近くに平面的に縫いつけると、着用者の後頭部に日除け布が密着して通気性が低下し、後頭部が蒸れて着用時の快適性が低下するという問題もある。
【０００８】
そこで、本考案は、安定に着用すると同時に日除け効果の良好な位置にツバおよび日除け布を位置させることができ、着用時の作業が簡易であり、容易かつ快適に着用できる日除け帽子を提供することを目的としている。
【課題を解決するための手段】
【０００９】
本考案は、上記目的を達成するための手段として、下記の事項を備えている。
（１）半クラウンおよび前記半クラウンを取り巻くツバを有する帽子本体と、前記帽子本体に連なって取り付けられた日除け布と、前記日除け布の内面に取り付けられたベルトとを備えており、前記ベルトを通過可能な孔が、前記ツバまたは前記日除け布に設けられていることを特徴とする日除け帽子。
【００１０】
（２）前記ベルトは、前記日除け布に余裕部が生じるように取り付けられている（１）に記載の日除け帽子。
【００１１】
（３）前記取付部のそれぞれにタックが設けられており、前記タックの近傍にダーツが形成されている（２）に記載の日除け帽子。
（４）前記取付部の間に弾性体が取り付けられることにより、前記伸縮性を有するギャザー部が形成されている（３）に記載の日除け帽子。
【００１２】
（５）前記帽子本体の前記ツバの内面に複数のガイド部を備えており、前記ガイド部は、前記取付部と前記孔との間において前記ベルトを所定の位置に保持する前記（１）〜（４）のいずれか一項に記載の日除け帽子。
（６）前記ガイド部は、マスクを着脱可能である前記（５）に記載の日除け帽子。
【００１３】
（７）前記日除け布は、前記半クラウンに連続する半クラウン部を備えており、前記日除け布の前記半クラウン部と前記帽子本体の前記半クラウンとにより着用者の頭部全周を覆うクラウン部が形成されている前記（２）〜（６）のいずれか一項に記載の日除け帽子。
（８）前記孔は、前記ツバの両端の近傍に各複数設けられている前記（１）〜（７）のいずれか一項に記載の日除け帽子。
（９）前記ベルトは、第１の紐状部材と第２の紐状部材とを有し、前記第１の紐状部材の一端は前記取付部に取り付けられ、他端は前記ツバ又は前記日除け布に取り付けられることでループを形成し、前記第２の紐状部材の一端は前記第１の紐状部材に取り付けられ、前記第２の紐状部材は前記孔に通されている、前記（１）〜（８）のいずれか一項に記載の日除け帽子。
（１０）前記第２の紐状部材の一端は、前記第１の紐状部材に沿って移動可能に取り付けられている、前記（９）に記載の日除け帽子。
【考案の効果】
【００１４】
本考案によれば、日除け布に取り付けられたベルトを孔に通して着用者の顎に引っ掛けて結ぶことにより、安定に日除け帽子を着用すると同時に日除け布およびツバで着用者の顔を覆うことができる。このように、安定な着用と同時にツバおよび日除け布を移動させて、日除け効果の良好な位置に保持できるから、着用時の作業が簡易かつ快適になる。
【図面の簡単な説明】
【００１５】
【図１】本考案の第１の実施形態に係る日除け帽子を概略的に示す正面図
【図２】図１の日除け帽子を概略的に示す底面図
【図３】図１の日除け帽子を概略的に示す側面図
【図４】図１の日除け帽子を着用した状態を概略的に示す正面図
【図５】本考案の第２の実施形態に係る日除け帽子を概略的に示す正面図
【図６】図５の日除け帽子を概略的に示す底面図
【図７】図５の日除け帽子を概略的に示す側面図
【図８】図５の日除け帽子を着用した状態を概略的に示す正面図
【図９】図５の日除け帽子にマスクが取り付けられた状態を概略的に示す正面図
【考案を実施するための形態】
【００１６】
本考案の実施形態について、図面を参酌して以下に説明する。
（第１の実施形態）
本実施形態では、本考案をいわゆる半麦の日除け帽子として実施する形態について説明する。
図１、２および３は、本実施形態に係る日除け帽子を概略的に示す、正面図、底面図および側面図である。これらの図に示すように、本実施形態の日除け帽子１は、前側半分が半クラウン１１の周りにツバ１２を有する帽子本体１０で構成され、後ろ側半分が日除け布２０で構成されている。
【００１７】
日除け布２０は、帽子本体１０後端に連続するように設けられており、その内面の２か所の取付部２１・２１において、ベルト３０が取り付けられている。帽子本体１０の縁１３の両端近傍には、日除け布２０に取り付けられたベルト３０を通過可能な孔２２・２２が設けられている。ここで、帽子本体１０の縁１３の両端「近傍」とは、孔２２・２２を通過させた状態で、ベルト３０を着用者の顎に引掛けて結ぶことによって、着用者の顎の近くにツバ１２を引き寄せることができる位置をいう。
【００１８】
本実施形態では、孔２２・２２が日除け布２０側に設けられた構成を一例として示している。しかし、孔２２・２２は、日除け帽子１を着用すると同時にツバ１２および日除け布２０を移動させて、日よけ効果が良好な位置に保持できる位置に設けられていればよい。したがって、孔２２・２２は、日除け布２０ではなく、帽子本体１０のツバ１２に設けられてもよい。あるいは、帽子本体１０のツバ１２または日除け布２０に別部材を付して、当該別部材に孔を設けた構成としてもよい。別部材は、例えば、帽子本体１０の縁１３の両端近傍に設けられたベルト通しのようなループ状部材であって、ベルト３０がループ状部材のループ内を通過する構成としてもよい。
【００１９】
図１、図２および図３では、孔２２・２２がツバ１２の縁１３両端の近傍に各１つずつ設けられた構成を示したが、各複数ずつ孔２２が設けられた構成としてもよい。各複数ずつ孔２２が設けられた構成とすれば、ベルト３０を通す孔２２を選択することにより、着用時におけるツバ１２および日除け布２０の位置を調整できる。したがって、着用者の頭の大きさ、好み、気候、季節等に応じて、日除け帽子１の着用時におけるツバ１２と日除け布２０の位置を調整することが可能となる。
【００２０】
図２に示すように、日除け帽子１のベルト３０は、２箇所の取付部２１・２１において日除け布２０の内面に取り付けられている。本実施形態では、日除け布２０にベルト３０の一部を縫合することにより取り付けている。しかし、日除け布２０にベルト３０を取り付ける手段は縫合に限られず、接着剤で接着された構成や、スナップボタンにより取り外し可能な状態で取り付けられた構成としてもよい。
【００２１】
本実施形態の日除け帽子１は、１本の連続したベルト３０を用いているが、この構成には限定されない。例えば、ベルト３０は、２つの紐状部材から構成され、２つの紐状部材の一端が２箇所の取付部２１・２１において日除け布２０の内面にそれぞれ取り付けられ、他端が孔２２・２２に向かってそれぞれ延びる構成としてもよい。ベルト３０はさらに、２以上の紐状部材から構成されてもよい。例えば、ベルト３０は、一端が２箇所の取付部２１・２１において日除け布２０の内面に取り付けられ、他端がツバ１２の両端近傍にそれぞれ取り付けられることにより、耳にかけるループを左右に形成する２つのループ用紐状部材と、一端が左右のループ用紐状部材に固定して、あるいは、ループ用紐状部材に沿って移動可能に取り付けられ、他端が孔２２・２２に向かってそれぞれ延びる２つの紐状部材とを有する構成としてもよい。紐状部材をループ用紐状部材に沿って移動可能に構成した場合、着用者の耳の位置に応じてベルト３０の位置を調整することが可能となる。なお、これらの構成によれば、取付部２１・２１の間には、ベルト３０は設けられない。
【００２２】
本実施形態の日除け帽子１は、機能面を重視して、細い紐状のベルト３０を用いている。しかし、ベルト３０は、孔２２・２２を通過可能なものであって、日除け帽子１を安定に頭に固定するとともに、ツバ１２と日除け布２０とを移動させて保持できるものであれば装飾が付されていてもよい。装飾が付されたベルト３０としては、例えば、日除け布２０と同じ布で覆われたベルト３０や、幅の広いスカーフ状の布からなるベルト３０等が挙げられる。日除け布２０と同じ布で覆われたベルト３０を用いれば、帽子全体としての統一感が向上する。また、幅の広いスカーフ状の布をベルト３０として用いれば、着用者の顎で結ぶことにより、日除け帽子１を固定するとともに、首の周りに華やかな印象を与えることができる。ベルト３０として、幅の広いスカーフ状の布を用いる場合、孔２２・２２を布が通過した状態で移動可能な大きさとする。また、装飾は、ベルト３０全体ではなく一部にのみ付してもよい。例えば、着用時に顎の近くに位置する部分を日除け布２０と同じ布で覆われたベルトやスカーフ状の布で構成し、日除け布２０内面の取付部２１・２１近くの部分を細い紐で構成してもよい。
【００２３】
図２および図３に示すように、本実施形態の日除け帽子１の日除け布２０の２つの取付部２１にはそれぞれタック２３が設けられており、タック２３の近傍から日除け布２０の縁方向に向けてダーツ２４が形成されている。ここで、「タック」とは、布にゆとりをもたせるために一定の間隔をおいて布をつまんで縫ったひだをいい、「ダーツ」とは布をつまんで縫い消した部分をいう。このように日除け布２０にタック２３およびダーツ２４を設けることにより、平面状の布によりなる日除け布２０で立体的な形状を形成することができる。なお、タック２３の近傍とは、着用時に日除け布２０に設けられたタック２３による立体的とされた外観上の影響が及ぶ位置をいい、例えば、タック２３とダーツ２４とが、一部重なる場合、両者は近傍に設けられているといえる。
【００２４】
図２に示すように、ベルト３０は、タック２３・２３近傍の取付部２１・２１において、日除け布２０に余裕部２５が形成されるように取り付けられている。図２に示すベルト３０上における取付部２１・２１間の距離Ｌ１よりも、日除け布２０上における取付部２１・２１間の距離Ｌ２が大きい。すなわち、ベルト３０は日除け布２０が余裕をもった状態となるように取り付けられている。この構成により、日除け布２０の取付部２１・２１間に余裕部２５が形成される。
【００２５】
図２および図３に示すように、日除け布２０にタック２３、ダーツ２４および余裕部２５を設けることにより、半クラウン１１に連続する半クラウン部２６が形成される。そして、日除け布２０の半クラウン部２６と帽子本体１０の半クラウン１１により着用者の頭部全周を覆うクラウン部４０が形成される。このように、日除け布２０を立体的な形状にすることで、着用感が良好になる。また、日除け布２０内に空間が形成されて着用時の通気性がよくなり、日除け帽子１内部の蒸れが抑制されるから、着用時の快適性が向上する。そして、日除け布２０の膨らみが形成されることにより、丸みをもったやわらかい外観が生じることで意匠性も良好になる。
【００２６】
図４は、本実施形態の日除け帽子を着用した状態を概略的に示す正面図である。日除け布２０に設けられている孔２２・２２を通過させたベルト３０を着用者の顎に引掛けて結ぶことにより、日除け帽子１を着用者の頭に安定に着用して固定することができる。さらに、この日除け帽子１を着用すると同時に、ベルト３０によりツバ１２の縁１３の両端から矢印Ａの方向に引っ張り、着用者の顎近辺に引き寄せて顔の周りをツバ１２で覆うことができる。また、日除け布２０を矢印Ｂで示す方向に引き寄せて着用者の首の周りを覆うことができる。これにより、着用と同時に日除け効果が良好な位置にツバ１２および日除け布２０を移動させて保持できるから、着用時の作業が簡易かつ快適になる。
【００２７】
孔２２・２２は、半クラウン１１のツバ１２の縁１３両端の近傍にそれぞれ設けられている。孔２２・２２は、日除け帽子１を着用するとともに帽子本体のツバ１２の縁１３両端および日除け布２０の前端を着用者の顎近辺に位置させて、日光を効果的に遮ることができる位置に設けられる。当該好適な位置は、日除け布の形状により異なるが、日除け布２０の縁１３近傍であることが好ましい。縁１３近傍は、例えば、縁１３から３ｃｍ以内、より好ましくは２ｃｍ以内、さらに好ましくは１ｃｍ以内である。
【００２８】
本実施形態の日除け帽子１は、いわゆる半麦であるから、帽子本体１０が麦わらにより構成されている。日除け布２０は、日除け用に一般に用いられている綿、合繊繊維などの布帛や、金属光沢のある細長い布が略均等な間隔の隙間を形成した格子状の遮光性の高い布等を用いることができる。なお、本実施形態では、半クラウン１１は、ツバ１２と同じ材質で構成されているが、これに代えて、日除け布２０と同じ材質で構成してもよい。
【００２９】
以上のように、本実施形態の日除け帽子によれば、ベルトを顎に引掛けて結ぶことにより、日除け帽子がずれないように安定に着用すると同時に、日除け布およびツバを日除け効果が良好な位置に移動させて保持することができる。また、日除け布によってクラウン状の形状を形成することにより、通気性および意匠性が良好なものとなる。したがって、着用時の作業が簡易となり、かつ着用時の快適性が向上する。
【００３０】
（第２の実施形態）
本実施形態では、本考案の日除け帽子を半麦よりもツバが小さい布製の日除け帽子として実施する形態について説明する。
図５、図６および図７は、本実施形態に係る日除け帽子を概略的に示す正面図、底面図および側面図である。これらの図に示すように、本実施形態の日除け帽子１００は、前側半分が半クラウン１１１の周りにツバ１１２を有する帽子本体１１０で構成され、後ろ側半分が日除け布１２０で構成されている。本実施形態の日除け帽子１００は、上述した第１の実施形態の日除け帽子１と、ツバの大きさ、日除け布を立体的にして半クラウン部を形成するための構成、および、孔と取付部との間にベルトの位置を規定するガイド部を備えている点において異なっている。
【００３１】
日除け布１２０は、帽子本体１１０後端に連続するように設けられており、その内面の２か所の取付部１２１・１２１にベルト１３０が取り付けられている。日除け布１２０は、帽子本体１１０の縁１１３の両端近傍に、ベルト１３０を通過可能な孔１２２・１２２が設けられている。なお、本実施形態のベルトは、第１の実施形態と同様、複数の紐状部材から構成されてもよい。
【００３２】
図６に示すように、２か所の取付部１２１・１２１間の日除け布１２０に弾性体１２３が取り付けられている。弾性体１２３が取り付けられている部分がキャザー部１２４となっている。日除け布１２０上の取付部１２１・１２１間の距離Ｌ２は、ギャザー部１２４が伸びた状態では、ベルト上の取付部１２１・１２１間の距離Ｌ１よりも大きく、縮んだ状態では、ベルト上の取付部１２１・１２１間の距離Ｌ１と略同じである。この構成により、ギャザー部１２４近傍の着用時における頭頂部側に余裕部１２５が形成されている。
【００３３】
上記弾性体１２３およびギャザー部１２４を備えた構成により、図７に示すように日除け布１２０により半クラウン部１２６が形成される。そして、日除け布１２０の半クラウン部１２６と帽子本体１１０の半クラウン１１１により着用者の頭部全周を覆うクラウン部１４０が形成される。このように、日除け布１２０を立体的な形状にすることで、着用感が向上する。また、日除け布１２０内に空間が形成されて通気性がよくなり、日除け帽子１００内部の蒸れが抑制されるから、着用時における快適性が向上する。そして、着用時において日除け布１２０の膨らみが形成された柔らかな丸い外観が生じることで意匠性も良好になる。
【００３４】
図８は、本実施形態の日除け帽子を着用した状態を示す正面図である。本実施形態の日除け帽子１００も、第１の実施形態の日除け帽子１同様、ベルト１３０を着用者の顎に引掛けて結ぶことにより、日除け帽子１００を着用者の頭に固定すると同時に、日除け効果が良好な位置にツバ１２０および日除け布１２０を移動させて保持することができる。ただし、本実施形態の日除け帽子１００は、日除け帽子１よりもツバ１２０が小さい。このため、着用時における帽子本体１１０のツバ１１２の縁１１３の位置は、第１の実施形態の日除け帽子１よりも、着用者の顎から離れた位置にある。そこで、孔１２２は、日除け帽子１と比較して、ツバ１１２の縁１１３から離れた位置に設けられている。孔１２２がツバ１１２の縁１１３近傍に設けられている点は、日除け帽子１と同じである。
【００３５】
本実施形態の日除け帽子１００は、帽子本体１１０のツバ１１１の内面、すなわち着用時に着用者の顔の近くとなる面に、ガイド部１１４が設けられている。ガイド部１１４・１１４は、取付部１２１・１２１と孔１２２・１２２との間において、ベルト１３０を所定の位置に保持するものである。このガイド部１１４・１１４に、他の部材を係合して着脱可能に構成された係合部を備えた構成とすることもできる。ガイド部１１４と他の部材とを係合する係合部としては、公知の手段を用いることができ、例えばボタンとボタン穴、一対のスナップボタン等を用いることができる。
【００３６】
図９は本実施形態の日除け帽子にマスクが取り付けられた状態を概略的に示す正面図である。同図では、他の部材としてマスク１５０をガイド部１１４・１１４に装着したものを示している。このように、ガイド部１１４・１１４にマスク１５０を着脱可能とすることにより、必要に応じてマスク１５０をガイド部１１４・１１４に装着して、日除け帽子１００にマスク１５０の機能を付加し、着用者の顔下半分の遮光性を向上させることができる。
【００３７】
以上のように、本実施形態の日除け帽子によれば、第１の実施形態同様、ベルトを顎に引掛けて結ぶことにより、日除け帽子がずれないように安定に着用すると同時に、日除け布およびツバを着用者の顎近辺に保持して、日除け効果を良好にすることができる。また、日除け布によって半クラウン状の形状を形成することで、後頭部と日除け布との間に空間が形成されて通気性が良好なるから、着用時の快適性が向上する。さらに、ガイド部に他の部材を着脱可能な構成とすることにより、必要に応じて、例えば顔前面の遮光性といった必要な機能を容易に付加することができる。
【産業上の利用可能性】
【００３８】
本考案の日除け帽子は、紐を顎で結ぶことにより日除け帽子を安定に着用すると同時に日除け効果が良好な位置にツバと日除け布を保持することができるから、簡易に着用できる快適な日除け帽子として有用である。
【符号の説明】
【００３９】
１、１００  日除け帽子
１０、１１０  帽子本体
１１、１１１  半クラウン
１２、１１２  ツバ
１３、１１３  縁
１１４  ガイド部
１５０  マスク
２０、１２０  日除け布
２１、１２１  取付部
２２、１２２  孔
２３  タック
１２３  弾性体
２４  ダーツ
１２４  ギャザー部
２５、１２５  余裕部
２６、１２６  半クラウン部
４０、１４０  クラウン
【図１】
0003219279.tif 000003
【図２】
0003219279.tif 000004
【図３】
0003219279.tif 000005
【図４】
0003219279.tif 000006
【図５】
0003219279.tif 000007
【図６】
0003219279.tif 000008
【図７】
0003219279.tif 000009
【図８】
0003219279.tif 000010
【図９】
0003219279.tif 000011